(57)【要約】【課題】屋根材に雨等が当たったときの振動により発生する騒音を低減する防音性能に優れた金属製屋根材を提供する。【解決手段】ブチルゴムを主成分とする自己粘着性を有する粘性体からなる制振材２０を、屋根材本体１０の裏面１１中央に帯状に密着固定し、該制振材２０の屋根材本体１０との非接合面をアルミ箔２１で被覆した構成としてある。【選択図】　　　　図１
2004084347.tif 000002
【特許請求の範囲】
【請求項１】
屋根材本体の裏面にブチルゴムを主成分とする制振材を密着状態で装着したことを特徴とする金属製屋根材。
【請求項２】
前記制振材が帯状体であり、前記屋根材本体の巾方向中央にほゞ全長にわたって装着したことを特徴とする請求項１記載の金属製屋根材。
【請求項３】
前記制振材が自己粘着性を有する粘性体であることを特徴とする請求項１又は２記載の金属製屋根材。
【請求項４】
前記制振材の露出側表面をアルミ箔で被覆したことを特徴とする請求項１，２又は３記載の金属製屋根材。
【発明の詳細な説明】
【０００１】
【発明の属する技術分野】
本発明は金属製屋根材に関し、更に詳しくは、雨音等の騒音を遮断する防音性能において優れた金属製屋根材に関する。
【０００２】
【従来の技術】
従来の金属製屋根材には、屋根材本体と、その裏面に発泡樹脂を吹き付けて硬化させ、又は発泡樹脂製の板材を接着固定することによって形成した発泡樹脂層とからなる構成のものがある。
【０００３】
例えば、実開昭６３−１８４８１８号公報には、屋根材本体の裏面にポリウレタン，ポリエチレン，ポリスチレン等からなる断熱芯材を嵌合するとゝもに、該断熱芯材の表面又は裏面の少なくとも一方に、鉛箔，アルミ箔等からなる表面材又は裏面材を貼着した構成の金属製屋根材が開示されている。
【０００４】
また、特開平１０−１４０７４５号公報や特開２０００−１５４６１８号公報では、屋根材本体の裏面に高発泡ポリエチレンシートで形成した発泡樹脂製シート又はアルミ箔シートを接着固定した構成の金属製屋根材が、更に特開平１０−２８０６１８号公報では、屋根材本体の裏面にウレタンフォーム，ヌレートフォーム，フェノールフォーム等からなる芯材を接着固定するとゝもに、該芯材の裏面にＡｌ，Ｆｅ，Ｐｂ，Ｃｕの金属箔等からなるの裏面材を貼着した構成の金属屋製根材がそれぞれ開示されている。
【０００５】
【発明が解決しようとする課題】
しかし、上述した従来の金属製屋根材におけるポリウレタン等の発泡樹脂層は断熱効果や遮音効果を主目的としたものであり、雨やアラレ，ヒョウ等の氷雨などが降った際に金属製屋根材から発生する騒音のレベルを下げるため、すなわち防音効果を得る目的で設置されたものではない。
【０００６】
したがって、雨や氷雨などが降った場合において、雨や氷雨が金属製の屋根材に衝当することにより発生する振動によって衝撃音が発生するとゝもに、更にこの振動が金属製屋根材を伝搬して発生する伝搬音とにより、室内外の騒音レベルが高くなるといった問題点がある。
【０００７】
本発明は、上記のような従来の問題点に鑑みてなされたものであり、金属製の屋根材に雨や氷雨等が当たったときに発生する振動を吸収して衝撃音の発生を防止するとゝもに、振動伝搬音を遮断して、騒音の発生を大幅に低減することができる防音性能において優れた金属製屋根材を提供することを目的としたものである。
【０００８】
【課題を解決するための手段】
上記の目的を達成するため、本発明の金属製屋根材は、屋根材本体の裏面にブチルゴムを主成分とする制振材を密着状態で装着した構成としてある。このような構成とすることにより、金属製の屋根材に雨や氷雨等が当たったときに発生する騒音を大幅に低減することができる。
【０００９】
また、本発明において、前記制振材が帯状体であり、前記屋根材本体の巾方向中央にほゞ全長にわたって装着した構成とする。すなわち、帯状に形成した制振材を屋根材本体の裏面中央に装着することにより、振動の発生及び振動の伝搬を十分に抑制することができ、必要最小限の制振材によって十分な騒音防止効果を得ることができる。
【００１０】
そして又、本発明において、前記制振材が自己粘着性を有する粘性体とした構成とする。このような構成とすることにより、前記制振材の屋根材本体との密着性が向上し、長期にわたり防振，防音効果を維持することができる。
【００１１】
更に、本発明において、前記制振材の露出側の表面をアルミ箔で被覆した構成とする。このような構成とすることにより、前記制振材の防音効果とアルミ箔の防音効果が相俟って、雨や氷雨等による騒音をより一層確実に防止することができ、静粛な室内環境が実現する。
【００１２】
【発明の実施の形態】
以下、本発明に係る金属製屋根材を図面に示す実施形態によって詳細に説明すると、図において、１は金属板で形成した屋根材で、屋根材本体１０と、該屋根材本体１０の裏面１１に装着した制振材２０とから主に構成されている。
【００１３】
前記屋根材本体１０は、カラー鋼板，亜鉛・チタン合金板，銅板等の金属板を折り曲げ加工により成形したもので、上辺係止部１２，下辺係止部１３，左辺係止部１４，右辺係止部１５をそれぞれ備えており、前記上辺係止部１２と下辺係止部１３、左辺係止部１４と右辺係止部１５を互いに上下方向及び左右方向に連結させることにより図示しない屋根を葺成する。
【００１４】
２０は制振材で、金属屋根材１の振動を抑制するためのものであって、化学安定性，振動吸収性に優れたブチルゴムとその他の合成ゴムをベースポリマーとした非加硫ゴムから構成されており、帯状に形成した制振材２０は屋根材本体１０の裏面１１の中央に長手方向に沿って密着した状態で装着されている。
【００１５】
ここで、前記制振材２０は屋根材本体１０の裏面１１の全面を覆う大きさのものでもよいが、帯状に形成したものを巾方向中央部分のみに長手方向に沿って装着した場合でも前者とほぼ同等の制振性能を発揮するので、後者の方が制振材料の節減及び重量軽減を図る上で望ましい。また、本実施形態では、制振材２０が自己粘着性を有する粘性体としてあり、屋根材本体１０の裏面１１への密着性を良好にしている。
【００１６】
さらに、前記制振材２０の屋根材本体１０との非接合面にはアルミ箔２１が被覆してあり、これにより防音性のより一層の向上を図っている。また、このアルミ箔２１は自己粘着性を有する制振材２０が図示しない他の部材に粘着することを防止する保護シートとしての役割をも果たしている。
【００１７】
【実施例】
上記構成からなる金属屋根板材について、表１に示す条件で雨音騒音の比較試験を行った。詳述すると、幅１３００ｍｍ，高さ２１００ｍｍの開口部に、下地材，防水シート，長短各９枚の屋根材を上下方向及び左右方向に連結させた状態で貼り付けたものを供試体とし、これに散水量２０リットル／ｍｉｎ×散水ノズル６本，供試体までの距離５５０ｍｍで散水した。制振材のない屋根材で測定１，制振材のある屋根板材で測定２を行い、１／１オクターブバンド中心周波数６３Ｈｚ〜４ｋＨｚを６秒間サンプリングした。測定位置は、供試体裏側の受音室において、床高さ１．２ｍ，供試体裏面からの１ｍの位置１点である。
【００１８】
【表１】
2004084347.tif 000003
【００１９】
試験結果は表２，図３に示す通りである。制振材のない測定１では騒音レベルが５４．６Ｈｚ（Ｎ値＝Ｎ−５５等級）であり、制振材のある測定２では騒音レベルが４６．３Ｈｚ（Ｎ値＝Ｎ−４５等級）であった。これにより、制振材のある場合（測定２）は、制振材ない場合（測定１）と比較して、屋根板材に雨が当たったときの騒音が約１０ｄＢも低減されることが分かった。
【００２０】
【表２】
2004084347.tif 000004
【００２１】
なお、本発明は上述した実施形態に限定されるものではなく、例えば、図４に示す他の実施形態である金属製屋根材２のように、制振材３０及びアルミ箔３１を、屋根材本体１０の裏面１１にあって、屋根材２の巾方向に所定間隔で複数列平行に装着したものでもよく、この場合でも、雨等による騒音の発生防止に十分な制振性能を発揮することができる。
【００２２】
【発明の効果】
本発明に係る金属屋根材は上記のような構成からなるものであるから、金属製の屋根材に雨や氷雨等が当たったときに発生する振動が吸収されて衝撃音の発生が防止されるとゝもに振動伝搬音も遮断され、防音性能において優れた金属製屋根材を提供することができる、といった効果がある。
【図面の簡単な説明】
【図１】同図（ａ）は本発明の一実施形態に係る屋根材の裏面側からの斜視図であり、同図（ｂ）は一部を切り欠いた部分拡大斜視図である。
【図２】同図（ａ）は図１（ａ）のＡ−Ａ断面図であり、同図（ｂ）は図１（ａ）のＢ−Ｂ断面図である。
【図３】上記屋根材の雨音騒音試験の結果を示す折線グラフである。
【図４】上記屋根材の他の実施形態を示す裏面側からの斜視図である。
【符号の説明】
１，２　金属製屋根材
１０　屋根材本体
１１　裏面
１２　上辺係止部
１３　下辺係止部
１４　左辺係止部
１５　右辺係止部
２０，３０　制振材
２１，３１　アルミ箔
【図１】
2004084347.tif 000005
【図２】
2004084347.tif 000006
【図３】
2004084347.tif 000007
【図４】
2004084347.tif 000008